(57)【要約】【課題】二重床の高さ対応幅を大きく確保できるだけでなく、支持脚全体の高さ寸法をより低く抑えることができ、床高の低い二重床や壁際等で支持脚と床材との間に根太を介在させる場合などに容易に対応可能な、二重床の支持脚を提供する。【解決手段】スラブ（１）と床材（２）との間に床下空間を形成する支持脚を、外周面にネジが螺刻されたネジ脚部（３）と、ネジ脚部（３）が螺入されるネジ孔部（４１）を上方に突出して有する受座部（４）と、受座部（４）上に配設された弾性防振材（５）と、弾性防振材（５）上に設けられた床受け材（６）とを備えたものとする。【選択図】  図１
2004324063.tif 000002
【特許請求の範囲】
【請求項１】
スラブと床材との間に床下空間を形成する二重床の支持脚であって、
外周面にネジが螺刻されたネジ脚部と、
ネジ脚部が螺入されるネジ孔部を上方に突出して有する受座部と、
受座部上に配設された弾性防振材と、
弾性防振材上に設けられた床受け材と、
を備えていることを特徴とする二重床の支持脚。
【請求項２】
床受け材は、受座部のネジ孔部またはネジ孔部から突き抜けたネジ脚部が挿通可能な孔を有していることを特徴とする請求項１記載の二重床の支持脚。
【請求項３】
床受け材上に載置される床材に設けられた孔に、床受け材の孔から突き抜けたネジ孔部またはネジ脚部が挿通可能とされていることを特徴とする請求項２記載の二重床の支持脚。
【請求項４】
床受け材上に載置される根太に設けられた孔に、床受け材の孔から突き抜けたネジ孔部またはネジ脚部が挿通可能とされていることを特徴とする請求項２記載の二重床の支持脚。
【発明の詳細な説明】
【０００１】
【発明の属する技術分野】
この出願の発明は、二重床の高さを調整可能ならしめる支持脚に関するものである。
【０００２】
【従来の技術】
従来、住宅やオフィス等の床には、床下にて配管や配線を行えるようにした二重床がしばしば採用されている。この二重床は、床材がスラブの上方に離間して配設された構造を有するものであり、離間構造はスラブに立設されその上部にて床材を支える支持脚によって確保されている。
【０００３】
そして、この二重床の支持脚については、上下に伸縮自在であって、スラブと床材との間隔つまり出来上がる二重床の高さを調整可能ならしめるものが知られている（特許文献１、２参照）。
【０００４】
しかし、特許文献１、２に記載の支持脚については、高さ対応幅が狭いため、様々に要求される二重床の高さに対し支持脚の品種を増やす必要がある、といった不都合が考えられる。
【０００５】
そこで、この出願の発明の発明者は、二重床の高さ対応幅をより大きく確保することのできる、新しい二重床の支持脚を既に提案している（特許文献３参照）。このものは、たとえば図１１（ａ）（ｂ）および図１２（ａ）（ｂ）に例示したように、スラブ（１）と床材（２）との間に床下空間を形成する二重床の支持脚を、外周面にネジが螺刻されたネジ脚部（３）と、このネジ脚部（３）が螺入されるネジ孔部（４１）を有する受座部（４）と、受座部（４）のネジ孔部（４１）に螺入されたネジ脚部（３）が受座部（４）の上方へ突き抜け可能な挿通空間（５１）を設けて当該受座部（４）上に配設された弾性防振材（５）と、この弾性防振材（５）上に設けられた床受け材（６）とを備えたものとしており、これによって、ネジ脚部（３）の高さ調整範囲をより大きく確保でき、二重床の高さに対してより幅広く対応可能ならしめている。
【０００６】
さらに説明すると、図１１および図１２では、まずネジ脚部（３）は、スラブ（１）上に接着剤で固着される台座部（７）に立設されており、その略全外周面には雄ネジが螺刻されている。受座部（４）は、略中央に開口（４２１）を有する受座板部（４２）と、受座板部（４２）の開口（４２１）と連通して垂下した、ネジ脚部（３）が螺入される雌ネジを内壁に有する筒状のネジ孔部（４１）とを有している。弾性防振材（５）は、受座部（４）の受座板部（４２）上にて、略中央の開口（４２１）上の空間を塞がないように配設されており、この空間がネジ脚部（３）が挿通可能な挿通空間（５１）とされている。床受け材（６）は、弾性防振材（５）上にて、床材（２）を受ける台となるように取り付けられている。そしてネジ脚部（３）は、受座部（４）のネジ孔部（４１）内へその下端開口から螺入されて受座部（４）と一体化され、ネジ孔部（４１）上端開口から受座板部（４２）の開口（４２１）を突き抜け挿通空間（５１）を通って床受け材（６）の下面まで到達可能とされており、高さ調整は、受座部（４）自体が弾性防振材（５）および床受け材（６）とともに、ネジ脚部（３）に対して上下動することで行われる。これにより、高さ調整範囲は、上記特許文献１および２に記載の従来の支持脚と比べて、弾性防振材（５）により確保された受座部（４）の受座板部（４２）から床受け材（６）下面までの挿通空間（５１）分、大きくなっており、支持脚の品種を従来よりも少なくすることができる。
【０００７】
また、図１２では、さらに大きな高さ調整範囲を得るべく、床受け材（６）にも、受座部（４）のネジ孔部（４１）から受座板部（４２）上方へ開口（４２１）および挿通空間（５１）を通って突き抜けたネジ脚部（３）が挿通可能な孔（６１）を設けることで、さらにはこの床受け材（６）上に載置される床材（２）に孔（２３）を設け、この孔（２３）に床受け材（６）の孔（６１）から突き抜けたネジ脚部（３）を挿通可能なものとすることで、床受け材（６）の孔（６１）の高さ分、さらには床材（２）の孔（２３）の高さ分の拡大を実現している。すなわち、受座部（４）のネジ孔部（４１）から、受座板部（４２）の開口（４２１）、弾性防振材（５）による受座板部（４２）上の挿通空間（５１）、床受け材（６）の孔（６１）、さらに床材（２）の孔（２３）へと連通した可動空間が形成され、最大限に拡大された高さ調整範囲が実現されているのである。このため支持脚の品種がさらに少なくて済む。
【０００８】
しかしながら、このように優れた高さ対応幅を実現するこの出願の発明の発明者による支持脚にあっても、さらに改良すべき点の存在することが判明した。
【０００９】
すなわち、図１１（ａ）および図１２（ａ）から明らかなように、この支持脚を用いる場合には、スラブ（１）と床材（２）との間に、受座部（４）の受座板部（４２）から垂下したネジ孔部（４１）と受座板部（４２）上に配設された弾性防振材（５）が納まる高さが最低限必要であるため（床受け材（６）は除く）、つまり受座部（４）をネジ脚部（３）に対して最も低い位置まで下げたとしてもネジ孔部（４１）および弾性防振材（５）の高さ分以上は低くできないため、それよりも低い床高が求められる二重床に対しては対応できない、という不都合が考えられるのである。
【００１０】
また、たとえば二重床の壁際においては、補強対策として壁際の支持脚上に根太を配置することが考慮されるが、この場合当然、根太の厚み分、支持脚全体の高さを低くする必要がある。しかしながら、上記のようにネジ孔部（４１）および弾性防振材（５）の高さ分以上は支持脚を低くすることができないため、床高の低い二重床では根太を省かざるを得ないか、別の支持脚を用意しなければならない、という不都合が考えられる。
【００１１】
【特許文献１】
特開２００１−２０７６２８号公報
【特許文献２】
特開２０００−２７４１６号公報
【特許文献３】
特願２００３−１１５３７５号
【００１２】
【発明が解決しようとする課題】
そこで、この出願の発明は、以上のとおりの事情に鑑み、二重床の高さ対応幅を大きく確保できるだけでなく、支持脚全体の高さ寸法をより低く抑えることができ、床高の低い二重床や壁際等で支持脚と床材との間に根太を介在させる場合などに容易に対応可能な、さらに新しい二重床の支持脚を提供することを課題としている。
【００１３】
【課題を解決するための手段】
この出願の発明は、上記の課題を解決するものとして、第１には、スラブと床材との間に床下空間を形成する二重床の支持脚であって、外周面にネジが螺刻されたネジ脚部と、ネジ脚部が螺入されるネジ孔部を上方に突出して有する受座部と、受座部上に配設された弾性防振材と、弾性防振材上に設けられた床受け材と、を備えていることを特徴とする二重床の支持脚を提供する。
【００１４】
また、この出願の発明は、第２には、前記床受け材は、前記受座部の前記ネジ孔部または前記ネジ孔部から突き抜けた前記ネジ脚部が挿通可能な孔を有していることを特徴とする二重床の支持脚、第３には、前記床受け材上に載置される床材に設けられた孔に、前記床受け材の前記孔から突き抜けた前記ネジ孔部または前記ネジ脚部が挿通可能とされていることを特徴とする二重床の支持脚、第４には、前記床受け材上に載置される根太に設けられた孔に、前記床受け材の前記孔から突き抜けた前記ネジ孔部または前記ネジ脚部が挿通可能とされていることを特徴とする二重床の支持脚を提供する。
【００１５】
【発明の実施の形態】
［実施形態１］
上記のとおりの特徴を有するこの出願の発明によれば、たとえば図１および図２に例示したように、スラブ（１）と床材（２）との間に床下空間を形成する二重床の支持脚を、外周面にネジが螺刻されたネジ脚部（３）と、このネジ脚部（３）が螺入されるネジ孔部（４１）を上方に突出して有する受座部（４）と、この受座部（４）上に配設された弾性防振材（５）と、この弾性防振材（５）上に設けられた床受け材（６）とを備えたものとすることで、受座部（４）上にネジ孔部（４１）が突出して設けられているために、ネジ孔部（４１）が邪魔にならずに受座部（４）をネジ脚部（３）の根元付近まで下げることができ、よって上記特許文献３記載の支持脚と同様に二重床の高さ対応幅を大きく確保できるだけでなく、支持脚全体の高さ寸法をより低く抑えることができ、床高の低い二重床や壁際等で支持脚と床材との間に根太を介在させる場合などに容易に対応可能な支持脚を実現することができる。
【００１６】
より具体的には、図１および図２の実施形態では、まずネジ脚部（３）は、スラブ（１）上に接着剤で固着される台座部（７）（ベースプレートとも呼ぶ）に立設されており、その略全外周面には雄ネジが螺刻されている。
【００１７】
受座部（４）は、略中央に開口（４２１）（図２参照）を有する受座板部（４２）と、受座板部（４２）上にその開口（４２１）と連通して立設された、ネジ脚部（３）が螺入される雌ネジを内壁に有する筒状のネジ孔部（４１）とを有している。
【００１８】
弾性防振材（５）は、受座部（４）の受座板部（４２）上にて、ネジ孔部（４１）の周りに配設されている。
【００１９】
床受け材（６）は、弾性防振材（５）上にて、床材（２）を受ける台となるように取り付けられている。
【００２０】
なお、図２では、このような床受け材（６）と受座部（４）の受座板部（４２）との間に配設される弾性防振材（５）の取り付けのために、床受け材（６）の下面に弾性防振材（５）の上部が嵌め込まれる取付孔（６２）、受座板部（４２）の上面には弾性防振材（５）の下部が嵌め込まれる取付孔（４２２）が設けられている。
【００２１】
そして、ネジ脚部（３）は、受座部（４）のネジ孔部（４１）内へ受座板部（４２）の開口（４２１）から螺入されて受座部（４）と一体化されており、高さ調整は、受座部（４）自体が弾性防振材（５）および床受け材（６）とともに、ネジ脚部（３）に対して上下動することで行われる。
【００２２】
これにより、高さ調整範囲は、上記特許文献１および２記載の従来の支持脚と比べて、弾性防振材（５）により確保された受座部（４）の受座板部（４２）から床受け材（６）下面までの高さ分大きくなっており、支持脚の品種を従来よりも少なくすることができ、さらには、ネジ脚部（３）が螺入される受座部（４）のネジ孔部（４１）が受座板部（４２）上に突出して設けられているので、受座部（４）をネジ脚部（３）に下げる際にネジ孔部（４１）が邪魔にならずにネジ脚部（３）の根元付近まで下げることができ、支持脚の最低高さ寸法が低くなり、より低い床高さに対応できるようになる。
【００２３】
［実施形態２］
また、図１および図２の実施形態では、さらに支持脚の高さを低くしてさらに低い床高さに対応できるようにすべく、床受け材（６）にも、前記受座部（４）のネジ孔部（４１）またはネジ孔部（４１）から突き抜けた前記ネジ脚部（３）が挿通可能な孔（６１）を設けている。
【００２４】
より具体的には、図１および図２では、ネジ孔部（４１）が受座部（４）の受座板部（４２）から上方に突出して設けられているだけでなく、さらにその上方に位置する床受け材（６）に、受座部（４）のネジ脚部（３）に対する上下動の際にネジ孔部（４１）が挿通可能な孔（６１）が、厚み方向に貫通して設けられている。
【００２５】
これにより、床受け材（６）の孔（６１）までネジ孔部（４１）が入り込むことができるので、床受け材（６）の厚み分、受座部（４）をさらに下げることができ、よって図３にも例示したように、上記特許文献３記載の支持脚よりも支持脚の最低高さ寸法をさらに低く抑えられ、床高のさらに低い二重床に対応できるのである。またもちろん、ネジ孔部（４１）は、この孔（６１）がないと床受け材（６）と受座部（４）の受座板部（４２）との間に納まる高さ寸法のみとなってしまうため、孔（６１）に挿通可能となることで、その高さ寸法をより高くすることができ、その分ネジ孔部（４１）の可動範囲が広がるので上下高さ調整範囲を広げることができる。
【００２６】
なお、受座部（４）がネジ脚部（３）に対して上下動する際に、受座部（４）のネジ孔部（４１）の上端開口からネジ脚部（３）が突き抜けるようにされている場合には、ネジ脚部（３）がネジ孔部（４１）とともに、あるいはネジ脚部（３）のみが、床受け材（６）の孔（６１）に挿通可能となっていてもよい。これによっても、上述と同様に、支持脚の高さ寸法を低く抑えることができ、また高さ調整幅を広げることができる。
【００２７】
［実施形態３］
またさらに、図１の実施形態では、さらに一層支持脚の高さ寸法を低くしてより低い二重床にも対応できるようにすべく、床受け材（６）上に載置される床材（２）に孔（２３）を設け、これに床受け材（６）の孔（６１）から突き抜けたネジ孔部（４１）またはネジ脚部（３）を挿通可能なものとしている。
【００２８】
すなわち、床受け材（６）の孔（６１）から床材（２）の孔（２３）へと連通した可動空間が形成され、これにネジ孔部（４１）および／またはネジ脚部（３）が入り込むことができるので、床受け材（６）の孔（６１）の高さ分だけでなく、さらに床材（２）の孔（２３）の高さ分まで、ネジ孔部（４１）やネジ脚部（３）を長くしておいても、支持脚全体を縮めることができ、支持脚の高さ寸法をさらに一層低く抑えることができ、また高さ調整幅をさらに一層広げることができるのである。
【００２９】
なお、床材（２）は一般に床受け材（６）上に載置される床下地材（２１）およびその上の床仕上げ材（２２）からなり、床下地材（２１）まで孔（２３）を貫通させることが許容される。
【００３０】
［実施形態４］
また、この出願の発明によれば、上記構成に加えて、たとえば図４および図５に例示したように、床受け材（６）上に根太（９）を設ける場合を考慮し、その場合においても支持脚の高さを低くでき且つ高さ調整範囲を大きく確保できるようにすべく、根太（９）に孔（９１）を設けておき、この孔（９１）に対して床受け材（６）の孔（６１）から突き抜けたネジ孔部（４１）またはネジ脚部（３）を挿通可能なものとしてもよい。
【００３１】
これによれば、たとえば壁際における補強対策などとして壁際の支持脚間に根太（９）を懸架する場合であっても（図４では壁際の支持脚上にのみ補強用の根太（９）を配置している）、その根太（９）の厚み分、より具体的には根太（９）の孔（９１）の高さ分の調整範囲を確保できるので、支持脚全体の高さ寸法を低く抑えることができ、床の仕上げ高さが低くなっても対応し易くなるのである。
【００３２】
もちろん、根太（９）の上に載置される床材（２）に対して前述の図１に例示したように孔（２３）を設け、これへネジ孔部（４１）および／またはネジ脚部（３）をさらに挿通可能な構成としてもよいことは言うまでもない。
【００３３】
［実施形態５］
図６および図７は、以上のこの出願の発明の支持脚を用いて二重床の一例を示したものであり、床下にて配管▲１▼を通す位置には支持脚▲２▼を設置できないため、配管▲１▼を避けるようにしてその周囲に複数の支持脚▲２▼を設置し、それら支持脚▲２▼上に補強のための保持板▲３▼を載置しており、この場合において、上述したように支持脚▲２▼における受座部（４）をそのネジ孔部（４１）が床受け材（６）の孔（６１）内に入り込むようにしてネジ脚部（３）に対して下げることで、保持板▲３▼の厚み分だけ支持脚▲２▼全体の高さを低くし、対応することができる。
【００３４】
この他にも、たとえば図８に例示したように、厚さの異なる床材▲５▼が用いられる場合にもその高さに対応させて支持脚▲２▼を十分に低くすることができる。図８の例では、敷居▲４▼を挟んで、厚さの異なる床材▲５▼が配設されており、厚い床材▲５▼の下に位置する支持脚▲２▼はスペーサ▲６▼や保持板▲３▼等を介してそれを支持しており、この支持脚▲２▼の高さが薄い床材▲５▼を支持する支持脚▲２▼よりも低く調整されているのがわかる。
【００３５】
［実施形態６］
図９および図１０は、各々、この出願の発明のさらに別の一実施形態を例示したものであり、図９では、上述した支持脚における受座部（４）とネジ脚部（３）との上下動を行う際に用いる上下操作板（４３）が、ネジ脚部（３）に取り付けられており、図１０では、受座部（４）のネジ孔部（４１）が受座部（４）の受座板部（４２）の上方に突出するだけでなくその下方に垂下した部分も有するものとなっている。図１０の実施形態によれば、ネジ孔部（４１）の下方垂下部分があっても支持脚全体の高さ寸法は従来よりも低くできることは言うまでもない。
【００３６】
もちろん、この出願の発明は以上の実施形態に限定されるものではなく、細部については様々な態様が可能である。
【００３７】
【発明の効果】
以上詳しく説明したとおり、この出願の発明によって、二重床の高さ対応幅を大きく確保できるだけでなく、支持脚全体の高さ寸法をより低く抑えることができ、床高の低い二重床や壁際等で支持脚と床材との間に根太を介在させる場合などに容易に対応可能な、さらに新しい二重床の支持脚が提供される。
【図面の簡単な説明】
【図１】この出願の発明の一実施形態を例示した断面図である。
【図２】図１の実施形態における支持脚をより詳細に例示した分解斜視図である。
【図３】図１および図２の実施形態を説明するための図である。
【図４】この出願の発明の別の一実施形態を例示した断面図である。
【図５】図４の実施形態を説明するための図である。
【図６】この出願の発明のまた別の一実施形態を例示した断面図である。
【図７】図６の実施形態を説明するための図である。
【図８】この出願の発明のさらに別の一実施形態を例示した断面図である。
【図９】この出願の発明のまたさらに別の一実施形態を例示した断面図である。
【図１０】この出願の発明のさらにまた別の一実施形態を例示した断面図である。
【図１１】（ａ）（ｂ）は各々この出願の発明の発明者による既提案の支持脚を例示した断面図であり、（ａ）は降下状態、（ｂ）は上昇状態を例示している。
【図１２】（ａ）（ｂ）は各々この出願の発明の発明者による既提案の支持脚を例示した断面図であり、（ａ）は降下状態、（ｂ）は上昇状態を例示している。
【符号の説明】
１  スラブ
２  床材
２１  床下地材
２２  床仕上げ材
２３  孔
３  ネジ脚部
４  受座部
４１  ネジ孔部
４２  受座板部
４２１  開口
４２２  取付孔
４３  上下操作板
５  弾性防振材
６  床受け材
６１  孔
６２  取付孔
７  台座部
９  根太
９１  孔
【図１】
2004324063.tif 000003
【図２】
2004324063.tif 000004
【図３】
2004324063.tif 000005
【図４】
2004324063.tif 000006
【図５】
2004324063.tif 000007
【図６】
2004324063.tif 000008
【図７】
2004324063.tif 000009
【図８】
2004324063.tif 000010
【図９】
2004324063.tif 000011
【図１０】
2004324063.tif 000012
【図１１】
2004324063.tif 000013
【図１２】
2004324063.tif 000014